(57)【要約】      （修正有）【課題】電動工具の作動端への粉塵進入を防ぎ、粉塵の四方への飛び散りを防ぐ電動工具の集塵カバーを提供する。【解決手段】電動工具の集塵カバーにおいて、集塵カバーのカバー本体は中空透明状とし、可撓性を備え、カバー本体の後部側と中空のスリーブを接合し、スリーブ内壁には電動工具の固定端に対応する嵌合部を突設することにより、スリーブと電動工具の固定端を嵌合させる。カバー本体内部には隔離部を備え、カバー本体内部の嵌合部端と別の主な集塵端とを仕切り、隔離部の中心に備えた貫通孔には、電動工具のドリルビットを貫通させる。【選択図】図３
0003179222.tif 000002
【実用新案登録請求の範囲】
【請求項１】
集塵カバーには中空透明のカバー本体を備え、カバー本体外壁には可撓性を備え、一端と中空のスリーブを接合し、スリーブ内壁には電動工具の固定端に対応する嵌合部を突設することにより、スリーブと電動工具の固定端を嵌合し、
カバー本体内部には隔離部を備え、隔離部の中心に備えた貫通孔は、電動工具のドリルビットを貫通させることを特徴とする電動工具の集塵カバー。
【請求項２】
前記スリーブの外壁には外側ねじ山を設け、尚且つスリーブの後部側内壁には内側ねじ山を設け、カバー本体の内側ねじ山とスリーブの外側ねじ山を螺合することを特徴とする請求項１に記載の電動工具の集塵カバー。
【請求項３】
中空のスリーブのもう一方の相対端に位置する前記カバー本体の前部エッジには、内側に延伸する密着部を備えることを特徴とする請求項１に記載の電動工具の集塵カバー。
【請求項４】
前記スリーブは、プラスチック材質によって作製することを特徴とする請求項１に記載の電動工具の集塵カバー。
【請求項５】
前記カバー本体の直径は、中空のスリーブ端からもう一方の相対端に向かって徐々に拡大するテーパー形状をなすことを特徴とする請求項１に記載の電動工具の集塵カバー。
【請求項６】
前記隔離部は「く」の字形をなし、尚且つ先端はカバー本体の密着部方向であることを特徴とする請求項１に記載の電動工具の集塵カバー。
【請求項７】
前記カバー本体の内部にはバネを備え、カバー本体内壁をバネ上に組み合わせることを特徴とする請求項１に記載の電動工具の集塵カバー。
【請求項８】
前記カバー本体の外壁は段形状であることを特徴とする請求項１に記載の電動工具の集塵カバー。
【考案の詳細な説明】
【技術分野】
【０００１】
本考案は、特に、電動工具の穴あけ時に使用し、電動工具の作動端への粉塵進入を防ぎ、粉塵の四方への飛び散りを防ぐ構造を兼ね備える電動工具の集塵カバーに関する。
【背景技術】
【０００２】
一般の使用者が壁面や木製板に穴をあける時、多くは電動工具を使用する。使用時は、電動工具のドリルビットを壁面や木製板に密着させて穴をあける。しかし、電動工具での穴あけ時、粉塵が大量に発生するため、使用者は穴あけを行った場所を片付けなければならないという不便性がある。また、粉塵が電動工具の作動端に進入し易く使用寿命を短縮する故、改善が待たれることは顕著である。
【考案の概要】
【考案が解決しようとする課題】
【０００３】
本考案の目的は、電動工具での穴あけ時に使用し、電動工具の作動端への粉塵進入を防ぎ、粉塵の四方への飛び散りを防ぐ電動工具の集塵カバーの提供にある。
【課題を解決するための手段】
【０００４】
上述の目的を達成するため、集塵カバーのカバー本体を中空の透明状とし、可撓性を備える。カバー本体の後部側と中空のスリーブを接合し、スリーブ内壁には電動工具の固定端に対応する嵌合部を突設し、スリーブと電動工具の固定端を嵌合する。カバー本体内部には隔離部を備え、カバー本体内部の嵌合部端ともう一方の主な集塵端とを仕切る。隔離部の中心に備えた貫通孔は、電動工具のドリルビットを貫通させる役割を果たす。よって、電動工具で穴あけ作業を行う時、集塵カバーによって粉塵が集められ、それと同時に、粉塵と電動工具の作動端を隔離するため、電動工具の作動端への粉塵進入を防ぎ、粉塵が四方に飛び散るのを防ぐことができる。
【０００５】
前記電動工具の集塵カバーにおいて、中空のスリーブとカバー本体間の結合箇所の中空のスリーブの前側外壁には外側ねじ山を設け、カバー本体に対応する内壁には内側ねじ山を設け、カバー本体の内側ねじ山とスリーブの外側ねじ山を螺合する。
【０００６】
前記電動工具の集塵カバーにおいて、カバー本体の先端エッジの内側方向には密着部を延伸する。
【０００７】
前記電動工具の集塵カバーにおいて、カバー本体の内部にはバネを設置し、カバー本体内壁をバネ上に組み合わせて固定する。
【０００８】
前記電動工具の集塵カバーにおいて、スリーブは、プラスチック材質によって作製する。
【０００９】
前記電動工具の集塵カバーにおいて、カバー本体の直径は、スリーブ端から外側に向かって徐々に拡大するテーパー形状をなす。
【００１０】
前記電動工具の集塵カバーにおいて、隔離部は「く」の字形をなし、先端に設置する貫通孔は電動工具のドリルビットを貫通させる。
【考案の効果】
【００１１】
本考案の電動工具の集塵カバーは、電動工具の穴あけ時に使用し、電動工具の作動端への粉塵進入を防ぎ、粉塵の四方への飛び散りを防ぐ構造を兼ね備える効果を有する。
【図面の簡単な説明】
【００１２】
【図１】本考案第一実施例の分解立体図である。
【図２】本考案第一実施例の分解断面側面図である。
【図３】本考案第一実施例の使用状態図（1）である。
【図４】本考案第一実施例の使用状態図（2）である。
【図５】本考案第一実施例の使用状態図（3）である。
【図６】本考案第二実施例の分解断面側面図である。
【図７】本考案第二実施例の使用状態図である。
【考案を実施するための形態】
【００１３】
図１〜図３に示すとおり、本考案の第一実施例の集塵カバーは、次の構成要素を含む。
スリーブ１０は、プラスチック材質によって作製され、電動工具２の固定端２０に接合する。固定端２０の前方には作動端２１を備え、作動端２１の前部をドリルビット２２と接合させる。スリーブ１０の前側外壁に備えた外側ねじ山１１は、電動工具２の固定端２０の周囲エッジに対応し、内壁に嵌合部１２を突設し、嵌合部１２によって電動工具２の固定端２０に嵌着する。
カバー本体１３は透明中空状であり、一端の内側と中空のスリーブ１０を結合する。カバー本体１３の内径は、中空のスリーブ１０端からもう一方の相対端に向かって徐々に大きくなるテーパー形状をなし、カバー本体１３の壁面は段形状をなす。弾性を備えるため、圧縮された後、圧縮を解き放すと自動的に回復する機能を有する。中空のスリーブ１０に結合するカバー本体１３端の内壁には内側ねじ山１４を備え、内側ねじ山１４を用いてスリーブ１０の外側ねじ山１１と螺合する。カバー本体１３の最大直径の外側端の先端エッジから内側方向に屈曲した密着部１５を延伸し、カバー本体１３の内部中間には「く」の字形に傾斜した隔離部１６を備え、隔離部１６の傾斜方向は、カバー本体１３の最大直径の外側端に向かい、中心に備える貫通孔１７は、電動工具２のドリルビット２２を貫通させる役割を果たす。
【００１４】
図３〜図５に示すとおり、カバー本体１３の内側ねじ山１４とスリーブ１０の外側ねじ山１１とを螺合し固定する。使用時は、スリーブ１０の嵌合部１２と電動工具２の固定端２０を嵌着させ、カバー本体１３と電動工具２の固定端２０を結合する。これにより、カバー本体１３の密着部１５を壁面３に密着させ、電動工具２を壁面３方向にプッシュすると、カバー本体１３は圧縮し、電動工具２のドリルビット２２は壁面を押圧して、壁面３に対する穴あけをスタートさせる。カバー本体１３はドリルビット２２の作動状況を観察でき、穴あけ時に発生する粉塵はそのカバー本体１３内に留まり、並びに、隔離部１６によって仕切られて遮断される。電動工具２のドリルビット２２は、カバー本体１３の隔離部１６の貫通孔１７から突出し、カバー本体１３の隔離部１６によって、粉塵と電動工具２の作動端２１を隔離するため、電動工具２の作動端２１への粉塵進入を防ぎ、電動工具２の使用寿命を延長できる。また、集塵カバーには可撓性を備えるため、電動工具２のドリルビット２２は様々な角度で穴あけできる。
【００１５】
図６、図７に示すとおり、本考案第二実施例と第一実施例の異なる点は、カバー本体１３の壁面に段形状を設けていない点にある。段形状のない外壁であるカバー本体１３の内部にはバネ４を設置し、カバー本体１３内壁をバネ４上に組み合わせて固定する。これにより、圧縮されたカバー本体１３には、圧縮を解かれると自動回復する機能が備えられる。尚、使用方式及び機能は第一実施例と同様であるため、ここでは説明を省略する。
【００１６】
以上の通り、集塵カバーと電動工具２の固定端２０を結合すると、電動工具２の穴あけをする時、集塵カバー内の隔離部１６によって粉塵を隔離し、電動工具２の作動端２１への粉塵進入を防ぎ、電動工具２の使用寿命を延長することができる。
【符号の説明】
【００１７】
１０        スリーブ
１１        外側ねじ山
１２        嵌合部
１３        カバー本体
１４        内側ねじ山
１５        密着部
１６        隔離部
１７        貫通孔
２          電動工具
２０        固定端
２１        作動端
２２        ドリルビット
３          壁面
４          バネ
【図１】
0003179222.tif 000003
【図２】
0003179222.tif 000004
【図３】
0003179222.tif 000005
【図４】
0003179222.tif 000006
【図５】
0003179222.tif 000007
【図６】
0003179222.tif 000008
【図７】
0003179222.tif 000009